(57)【要約】【課題】非粘着部を容易に作ることができ、利便性を向上させることができるテープカッターを提供する。【解決手段】粘着テープＭ１のロールＭ２を回転可能に保持する保持部１０と、粘着テープＭ１の端部を切断する切断部２０と、切断部２０と保持部１０との間において粘着テープＭ１を粘着させる粘着部４０とを備える。切断部２０は、一端に刃２１を有し、刃２１が半径の小さい第１の円弧運動をしたのち半径の大きい第２の円弧運動をすることにより、粘着部４０と離間した定位置から粘着部４０の近傍位置まで移動できるようになっている。【選択図】図１
0003151371.tif 000002
【実用新案登録請求の範囲】
【請求項１】
粘着テープのロールを回転可能に保持する保持部と、この保持部に保持されたロールから引き出された粘着テープの端部を切断する切断部と、この切断部と前記保持部との間において粘着テープを粘着させる粘着部とを備えたテープカッターであって、
前記切断部は、一端に刃を有し、この刃が第１の円弧運動をしたのち第１の円弧運動よりも半径の大きい第２の円弧運動をすることにより、前記粘着部と離間した定位置から前記粘着部の近傍位置まで移動することができるように配設されている
ことを特徴とするテープカッター。
【請求項２】
前記切断部と前記粘着部との間に配設され、粘着テープが前記粘着部の側に湾曲することを防止する支持部材を備えたことを特徴とする請求項１記載のテープカッター。
【考案の詳細な説明】
【技術分野】
【０００１】
本考案は、粘着テープのロールを保持すると共に、ロールから引き出された粘着テープの端部を切断するテープカッターに関する。
【背景技術】
【０００２】
従来より、テープカッターとしては、例えば、粘着テープのロールを回転可能に保持すると共に、ロールから少し離れた位置に粘着テープを切断する切断部が設けられたものが知られている。このテープカッターでは、切断部に引き出された粘着テープをロールと切断部との間において摘み、必要な長さだけ引き出したのち、切断部において切断して用いられる。
【０００３】
しかし、このテープカッターでは、切り出した粘着テープの全面が貼り付けられるので、粘着テープを貼り付けた後に粘着テープを剥がしたい場合、剥がし難いことがあった。また、このテープカッターでは、粘着テープを引き出す際に、粘着テープの粘着面を指で摘むので、見た目が汚くなってしまい、しかも粘着面が汚れて粘着力が低下してしまう場合もあった。
【０００４】
そこで、これらの問題を解決するために、例えば、粘着テープの先端において粘着面を内側にして折り返すことにより、非粘着部を形成することができるテープカッターが提案されている（例えば、特許文献１参照）。
【先行技術文献】
【特許文献】
【０００５】
【特許文献１】特開２００６−２４８７７６号公報
【考案の概要】
【考案が解決しようとする課題】
【０００６】
しかしながら、特許文献１に記載のテープカッターでは、切断部の刃を円弧運動させることにより、粘着テープの先端を粘着面が内側になるように撓ませて非粘着部を作っているが、粘着テープの粘着面が内側になるように撓む確率は低いので、指で持ち上げなければならなかった。
【０００７】
本考案は、このような問題に基づきなされたものであり、非粘着部を容易に作ることができ、利便性を向上させることができるテープカッターを提供することを目的とする。
【課題を解決するための手段】
【０００８】
本考案のテープカッターは、粘着テープのロールを回転可能に保持する保持部と、この保持部に保持されたロールから引き出された粘着テープの端部を切断する切断部と、この切断部と前記保持部との間において粘着テープを粘着させる粘着部とを備えたものであって、切断部は、一端に刃を有し、この刃が第１の円弧運動をしたのち第１の円弧運動よりも半径の大きい第２の円弧運動をすることにより、粘着部と離間した定位置から粘着部の近傍位置まで移動することができるように配設されているものである。
【考案の効果】
【０００９】
本考案のテープカッターによれば、刃が第１の円弧運動をしたのち第１の円弧運動よりも半径の大きい第２の円弧運動をすることにより、粘着部と離間した定位置から粘着部の近傍位置まで移動することができるようにしたので、粘着テープを粘着部と反対側に容易に湾曲させることができる。よって、容易に粘着テープを折り曲げて非粘着部を作ることができ、利便性を高めることができる。
【００１０】
特に、切断部と粘着部との間に粘着テープが粘着部の側に湾曲することを防止する支持部材を備えるようにすれば、更に確実に粘着テープを粘着部と反対側に湾曲させることができる。
【図面の簡単な説明】
【００１１】
【図１】本発明の一実施の形態に係るテープカッターの構成を表す図である。
【図２】図１に示したテープカッターを刃の方から見た構成を表わす図である。
【図３】図１に示したテープカッターの一部の断面構造を表わす図である。
【図４】図１に示したテープカッターの動作を表す図である。
【図５】図４に続く動作を表す図である。
【図６】図５に続く動作を表す図である。
【考案を実施するための形態】
【００１２】
以下、本考案の実施の形態について、図面を参照して詳細に説明する。
【００１３】
図１は、本考案の一実施の形態に係るテープカッター１の構成を表すものであり、図２は、テープカッター１を他方から見た構成を表わすものであり、図３は、テープカッター１の一部の断面構造を表わすものである。このテープカッター１は、粘着テープＭ１が巻回されたロールＭ２を回転可能に保持する保持部１０と、保持部１０に保持されたロールＭ２から引き出された粘着テープＭ１の端部を切断する切断部２０とを備えている。保持部１０および切断部２０は、例えば、互いに間隔を開けて基体３０に配設されており、保持部１０と切断部２０との間には、粘着テープＭ１を粘着させる粘着部４０が基体３０に形成されている。
【００１４】
保持部１０は、例えば、ロールＭ２の内側に嵌め込まれることによりロールＭ２を固定して保持する嵌合部材１１を有しており、嵌合部材１１の中心部には、嵌合部材１１と共にロールＭ２を回転させるための回転軸１２が突出して形成されている。回転軸１２は、基体３０に形成された保持体用孔３１に対して回転可能に配設されている。
【００１５】
切断部２０は、端部に刃２１を有しており、刃２１はロールＭ２の外周面と略平行となるように配設されている。切断部２０の中心部には、例えば、回転軸２２が突出して設けられており、回転軸２２は、例えば、基体３０に形成された切断部用孔３２に対して回転可能に配設されている。これにより、切断部２０は、回転軸２２を第１の支点として、第１の支点を中心とした第１の円弧運動をすることができるようになっている。
【００１６】
切断部２０の刃２１と反対側には、例えば、回転軸２２を中心とする円弧部２３が形成されており、円弧部２３の回転方向における両脇には、例えば、回転軸２２から外側に向かって突出する突出部２４，２５がそれぞれ設けられている。保持部１０の側の突出部２４は、第１の円弧運動の移動範囲を決めるためのものであり、基体３０には、例えば、突出部２４の移動範囲に合わせて係止部３３，３４が形成されている。
【００１７】
係止部３３は、刃２１が粘着部４０から離間した定位置にある時に突出部２４が当接して係止するものであり、係止部３４は、刃２１が定位置から粘着部４０に向かって第１の円弧運動をした時に突出部２４が当接して係止するものである。係止部３３と係止部３４との間の距離は、例えば、第１の円弧運動の回転角度が１０度から２５度の範囲内となるように設定されていることが好ましく、１０度から２０度の範囲内であればより好ましい。また、係止部３４は、例えば、突出部２４が当接した時に、刃２１が粘着部４０の表面に対して垂直となるように形成されていることが好ましい。
【００１８】
突出部２４は、また、係止部３４に当接した状態において、切断部２０が第２の支点を中心とした第２の円弧運動をする際に、第２の支点として機能するものである。突出部２４の先端は、例えば、半円状となっており、切断部用孔３２は、例えば、回転軸２２が第１の円弧運動時の位置から粘着部４０の方に向かって第２の円弧運動ができるように、円弧状に拡張されて形成されている。また、刃２１と第１の支点である回転軸２２との間の距離は、刃２１と第２の支点である突出部２４との間の距離よりも短くなっており、第１の支点である回転軸２２よりも第２の支点である突出部２４の方が保持部１０の側に位置している。具体的には、例えば、粘着部４０の表面に対して垂直な第１の支点を通る面により領域を分けた時に、第２の支点は、保持部１０の側の領域に位置している。
【００１９】
これにより、刃２１は、定位置から第１の円弧運動により粘着部４０に近づいたのち、突出部２４を第２の支点とする第２の円弧運動により粘着部４０に更に近づいて粘着部４０の近傍位置まで移動することができるようになっている。第２の円弧運動の回転角度は、例えば、１５度から３０度の範囲内とされることが好ましく、２０度から２５度の範囲内であればより好ましい。刃２１は、粘着部４０の近傍位置において、粘着部４０の端部に当接することが好ましいが、若干の隙間が開いていてもよい。また、刃２１は、定位置にある時には、刃２１の先端が粘着部４０の表面を含む面よりも回転軸２２の側に位置していることが好ましい。例えば、刃２１の先端と粘着部４０の切断部２０側の端部とを結ぶ面と、粘着部４０の表面との間の角度は、１０度から１５度の範囲内とされることが好ましい。
【００２０】
突出部２５には、例えば、ばねなどの弾性部材２６が取り付けられており、切断部２０を定位置に戻す方向に力が加えられている。
【００２１】
また、切断部２０と粘着部４０との間には、粘着テープＭ１が粘着部４０の側に湾曲することを防止する支持部材５０が配設されている。支持部材５０は、例えば、切断部２０の移動に伴って折り畳まれたり広がったりすることが可能であり、Ｍ字の中央上部にＹ字を重ねた形状を有している。支持部材５０は、例えば、弾性体により構成されていることが好ましい。なお、切断部２０および基体３０には、例えば、切断部２０を粘着部４０の近傍位置に移動させた時に、支持部材５０を収納するための凹部２７，３５がそれぞれ形成されていることが好ましい。刃２１を粘着部４０のより近くまで移動させることができるからである。
【００２２】
図４から図６は、テープカッター１の動作を表わすものである。まず、図４に示したように、テープカッター１は、通常、切断部２０が弾性部材２６によって引っ張られており、刃２１は粘着部４０から離間した定位置にある。この状態において、例えば、ロールＭ２から粘着テープＭ１を引き出し、粘着部４０に貼り付けて、その先端側を切断部２０の刃２１に押し当てることにより切断する。
【００２３】
次いで、例えば図５に示したように、指で切断部２０の刃２１の側を粘着部４０の側に押し、粘着部４０の側に向かって、回転軸２２を第１の支点とした第１の円弧運動をさせる。これにより、粘着テープＭ１は、粘着部４０の反対側に僅かに湾曲する。
【００２４】
続いて、例えば図６に示したように、指で切断部２０の刃２１の側を粘着部４０の側に更に押すと、突出部２４が係止部３４に当接して、第１の円弧運動が終了し、突出部２４を第２の支点とした第２の円弧運動により、刃２１は粘着部４０の近傍位置まで移動する。これにより、粘着テープＭ１は、粘着部４０の反対側に更に湾曲し、刃２１が粘着部４０の近傍位置までくると、粘着面同士が接着して、非粘着部Ｍ３が形成される。
【００２５】
このように、このテープカッター１では、半径の小さい第１の円弧運動をさせたのち半径の大きい第２の円弧運動をさせることにより、粘着テープＭ１が粘着部４０と反対側に容易に湾曲される。また、切断部２０と粘着部４０との間に支持部材５０を配設するようにすれば、第１の円弧運動および第２の円弧運動において、粘着テープＭ１が粘着部４０の側に湾曲することが防止され、より確実に粘着テープＭ１は粘着部４０の反対側に湾曲される。
【００２６】
そののち、切断部２０から指をはずすと、例えば図１に示したように、切断部２０は弾性部材２６により定位置に戻され、粘着部４０には、非粘着部Ｍ３が形成された粘着テープＭ１が残る。これにより、粘着部４０に形成された非粘着部Ｍ３を指で挟み、粘着テープＭ１を引き出して、用いることができる。
【００２７】
このように、本実施の形態によれば、刃２１を粘着部４０の方に向かって、半径の小さい第１の円弧運動をさせたのち、半径の大きい第２の円弧運動をさせるようにしたので、粘着テープＭ１を粘着部４０と反対側に容易に湾曲させることができる。よって、容易に粘着テープＭ１を折り曲げて非粘着部Ｍ３を作ることができ、利便性を高めることができる。
【００２８】
特に、切断部２０と粘着部４０との間に粘着テープＭ１が粘着部４０の側に湾曲することを防止する支持部材５０を備えるようにすれば、更に確実に粘着テープＭ１を粘着部４０と反対側に湾曲させることができる。
【００２９】
以上、実施の形態を挙げて本考案を説明したが、本考案は上記実施の形態に限定されるものではなく、種々変形可能である。例えば、上記実施の形態では、切断部２０の構成を具体的に説明したが、半径の小さい第１の円弧運動をしたのち半径の大きい第２の円弧運動をすることにより刃２１が定位置から粘着部４０の近傍位置まで移動することができれば、他の構成を有していてもよい。
【００３０】
また、上記実施の形態では、支持部材５０の形状を具体的に説明したが、他の形状を有していてもよい。
【産業上の利用可能性】
【００３１】
粘着テープのテープカッターに用いることができる。
【符号の説明】
【００３２】
１…テープカッター、１０…保持部、１１…嵌合部材、１２…回転軸、２０…切断部、２１…刃、２２…回転軸、２３…円弧部、２４，２５…突出部、２６…弾性部材、２７…凹部、３０…基体、３１…保持体用孔、３２…切断部用孔、３３，３４…係止部、３５…凹部、４０…粘着部、５０…支持部材、Ｍ１…粘着テープ、Ｍ２…ロール、Ｍ３…非粘着部
【図１】
0003151371.tif 000003
【図２】
0003151371.tif 000004
【図３】
0003151371.tif 000005
【図４】
0003151371.tif 000006
【図５】
0003151371.tif 000007
【図６】
0003151371.tif 000008